(57)【要約】      （修正有）【課題】  ゴミが付着した粘着テープを剥ぎ取る作業が不要であることに加え、ローラの回転が軽く軽快に掃除ができ、尚且つ支障なく連続して使用できる粘着テープ掃除具の提供。【解決手段】粘着テープロール１を装着する粘着テープ取付ローラ２と、使用済み粘着テープ９を粘着面を外側にして巻き取る巻取りローラ４と、粘着テープ取付ローラ２と巻取りローラ４とを間隔を開けて前後に平行配置し回転自在に支持するローラ支持部材５と、ローラ支持部材５に回動可能に取付けた把手６とを備え、ローラ支持部材５は、粘着テープ取付ローラ２と巻取りローラ４の間の位置に両ローラよりも下方に突出する支え部８を有し、把手６を持って前方に動かしたときは、前側の巻取りローラ４が掃除面に接触し回転して粘着テープ９を巻き取り、把手を持って後方に動かしたときは、後側の粘着テープ取付ローラ２が掃除面に接触し回転して粘着テープを巻き取る。【選択図】図８
2008168107.tif 000002
【特許請求の範囲】
【請求項１】
粘着テープロール（１）を装着する粘着テープ取付ローラ（２）と、巻取り芯（３）を装着し、巻取り芯の周りに使用済み粘着テープ（９）を粘着面を外側にして巻き取る巻取りローラ（４）と、粘着テープ取付ローラと巻取りローラを回転自在に支持するローラ支持部材（５）と、ローラ支持部材に回動可能に取付けた把手（６）とを備え、粘着テープ取付ローラと巻取りローラは、側面に手動回転用のツマミ（２２）を突出し、間隔を開けて前後に平行配置してあり、且つ何れのローラも掃除面（７）に接触可能であり、ローラ支持部材は、粘着テープ取付ローラと巻取りローラの間の位置に両ローラよりも下方に突出する支え部（８）を有し、把手を持って前方に動かしたときは、前側のローラ（４）が掃除面に接触して回転して粘着テープ（９）を巻き取り、把手を持って後方に動かしたときは、後側のローラ（２）が掃除面に接触して回転して粘着テープを巻き取ることを特徴とする粘着テープ掃除具。
【請求項２】
粘着テープ取付ローラ（２）と巻取りローラ（４）の外周に跨って無端状のゴムベルト（２８）を掛けてあり、該ゴムベルトが粘着テープ（１）とくっつかないようにしてあることを特徴とする請求項１記載の粘着テープ掃除具。
【請求項３】
粘着テープ取付ローラ（２）と巻取りローラ（４）の間で且つ両ローラの回転軸よりも高い位置に、前記ゴムベルト（２８）を掛けるゴム掛けローラ（３８）を有することを特徴とする請求項２記載の粘着テープ掃除具。
【請求項４】
粘着テープ取付ローラ（２）と巻取りローラ（４）は、粘着テープ（９）が巻きつけられる芯（３，２４）の両端部にキャップ（２５，２５）を嵌め込んで構成してあり、キャップは中心部に軸部(１４)を突出して有し、軸部からさらにツマミ（２２）を突出して有しており、ローラ支持部材（５）は、一対の側板（１１ａ，１１ｂ）にキャップの軸部を回転自在に保持する軸保持部（１５ａ，１５ｂ）を有し、軸保持部又はその周辺部の弾性変形により軸部を軸保持部に係脱自在としていることを特徴とする請求項１，２又は３記載の粘着テープ掃除具。
【請求項５】
ローラ支持部材（５）には、把手（６）と係止してローラ支持部材の回動範囲を規制するストッパー（１０ａ，１０ｂ）を備えていることを特徴とする請求項１，２，３又は４記載の粘着テープ掃除具。
【請求項６】
ローラ支持部材（５）には、粘着テープ取付ローラ（２）と巻取りローラ（４）の間に、粘着テープ（９）の非粘着面を受ける受け部（１２）を備えていることを特徴とする請求項１，２，３，４又は５記載の粘着テープ掃除具。
【請求項７】
ローラ支持部材（５）の支え部（８）をローラで構成したことを特徴とする請求項１，２，３，４，５又は６記載の粘着テープ掃除具。
【請求項８】
支え部となるローラ（８）は、前後方向にスライド可能にローラ支持部材（５）に取付けてあることを特徴とする請求項７記載の粘着テープ掃除具。
【発明の詳細な説明】
【技術分野】
【０００１】
本発明は、粘着面を外側にしてロール状に巻いた粘着テープロールをカーペット等の上で転がし、カーペット等のゴミを粘着テープの粘着面に付着させて除去する粘着テープ掃除具に関するものであり、より詳しくは、使いながらゴミが付着して粘着力が低下した粘着テープを随時巻き取ることで、粘着テープを剥ぎ取る作業を不要とした粘着テープ掃除具に関する。
【背景技術】
【０００２】
従来の粘着テープ掃除具は、把手の先端部に設けた回転軸に、粘着テープを粘着面を外側にしてロール状に巻いた粘着テープロールを取付けたものであり、粘着テープには１回転分ごとにミシン目等の切れ目を設けてあり、粘着テープにゴミが付着して粘着力が低下すると、粘着テープを１回転分ずつ切れ目で切り離して剥がし、新しい粘着面を露出させては使用している。粘着テープを剥がす際、粘着テープの先端はぴったりとロールに貼り付いており、しかも粘着テープの先端をまたぐように髪の毛等が付着していたりするので、剥がすのが容易ではなく、またゴミが付着した粘着面に手で直接触れなければならないので非衛生的でもある。  
【０００３】
特許文献１には、粘着テープロールを装着する下部ローラの上方に、粘着テープの使用済み芯筒を装着する上部ローラを平行に設け、上部ローラを上下方向に移動可能とすると共にコイルバネで下部ローラに向けて弾発付勢してあり、下部ローラをカーペット等の上で転がすと、上部ローラは下部ローラと接触しながら下部ローラとは逆向きに回転し、粘着テープが上部ローラの芯筒に粘着面を内側にして順次巻き取られ、粘着テープを剥ぎ取る作業を不要としたものが記載されている。しかしこの掃除具では、上部ローラは下部ローラの回転に伴って連れ回りするだけなので、粘着テープの粘着力が低下したときなどには、上部ローラが滑って正常に回転せず、粘着テープの巻き取りに弛みが生ずるおそれがある。また、上部ローラを常にバネの力で下部ローラに押し付けているので、粘着テープの粘着力が強い間は、抵抗が大き過ぎて下部ローラがスムーズに転がらず、掃除がしにくくなるおそれがある。
【０００４】
また特許文献２には、一対の側板１，１’に二つの支持ローラ６，７：６’、７’を横並びの配置で回転自在に支持し、一方の支持ローラ６，７に粘着テープ巻回体１０ａを装着し、他方の支持ローラ６’、７’に空の巻芯９を装着し、粘着テープ巻回体１０ａの粘着テープ１０を空の巻芯９に粘着面が上になるように巻き付けた状態にし、側板は、２つの支持ローラの軸の間隔を二等分する中心線上に下方に突出する支点Ｓを有し、側板の前記中心線上にハンドル１８を回動可能に取付けたものが記載されている。この掃除具は、ハンドル１８を持って往復運動させると、支点Ｓを中心として側板１，１’が回動してカーペットに圧接される粘着テープ巻回体１０ａ，１０ｂが自動的に交互に切り換わり、カーペットのゴミを粘着テープに吸着しつつ、粘着テープを往復運動の前輪側になる粘着テープ巻回体に随時巻き取るようにしている。またこの掃除具は、支持ローラ７，７’内に設けたブレーキユニット２０，３０により、往復運動中後輪側になる粘着テープ巻回体に向かう張力を粘着テープに生じさせ、粘着テープの巻取りに弛みが生ずるのを防止している。
【０００５】
上記の特許文献２記載の掃除具は、往復運動させた際、ブレーキユニット２０，３０のブレーキ力が働くために粘着テープ巻回体１０ａ，１０ｂが回転しづらくなり、通常の１ロール式のもののように軽やかに往復運動させることができない。また、粘着テープにゴミが付いて粘着力が弱くなった状態で、フローリング等の平滑な床面を掃除しようとしたときには、粘着テープ巻回体１０ａ，１０ｂと床面との間で滑りが生じ、粘着テープ巻回体１０ａ，１０ｂが転がらないため、掃除ができない。
さらに、粘着テープの新しい粘着面をカーペット等に接触させた状態で、図２０（ａ）に示すように、掃除する場所を変えるために掃除具９０を持ち上げると、粘着テープ９１がカーペット等９２に貼り付いて引っ張られるために、粘着テープ９１に弛みが生じることがあり、この粘着テープの弛みを取るためには、ゴミが付着した粘着テープ巻回体９３ａ，９３ｂの表面を直接手で触って回転させなければならず、煩雑且つ不衛生であった。また、粘着テープの粘着力が強い状態で往復運動させた際などには、図２０（ｂ）に示すように、粘着テープ巻回体９３ａがカーペット等９２にくっついてうまく回転しないために、掃除具９０全体が回転して裏返しになることがあった。したがってこの掃除具は、カーペット等に強く押し付けながらゆっくりと往復運動させてやる必要があり、掃除の能率が上がらない。また、ブレーキユニットをローラ内に内蔵していることで構造が複雑になり、粘着テープ巻回体の交換が簡易に行えない。
【特許文献１】特開平８−１６４１０７号公報
【特許文献２】特開平７−３２７９１２号公報
【発明の開示】
【発明が解決しようとする課題】
【０００６】
本発明は以上に述べた実情に鑑み、ゴミが付着した粘着テープを剥ぎ取る作業が不要であることに加え、ローラの回転が軽く軽快に掃除ができ、尚且つ支障なく連続して使用できる粘着テープ掃除具の提供を目的とする。
【課題を解決するための手段】
【０００７】
上記の課題を達成するために請求項１記載の発明による粘着テープ掃除具は、粘着テープロールを装着する粘着テープ取付ローラと、巻取り芯を装着し、巻取り芯の周りに使用済み粘着テープを粘着面を外側にして巻き取る巻取りローラと、粘着テープ取付ローラと巻取りローラを回転自在に支持するローラ支持部材と、ローラ支持部材に回動可能に取付けた把手とを備え、粘着テープ取付ローラと巻取りローラは、側面に手動回転用のツマミを突出し、間隔を開けて前後に平行配置してあり、且つ何れのローラも掃除面に接触可能であり、ローラ支持部材は、粘着テープ取付ローラと巻取りローラの間の位置に両ローラよりも下方に突出する支え部を有し、把手を持って前方に動かしたときは、前側のローラが掃除面に接触して回転して粘着テープを巻き取り、把手を持って後方に動かしたときは、後側のローラが掃除面に接触して回転して粘着テープを巻き取ることを特徴とする。
【０００８】
請求項２記載の発明による粘着テープ掃除具は、請求項１記載の発明の構成に加え、粘着テープ取付ローラと巻取りローラの外周に跨って無端状のゴムベルトを掛けてあり、該ゴムベルトが粘着テープとくっつかないようにしてあることを特徴とする。ゴムベルトが粘着テープとくっつかないようにするためには、例えば、ゴムベルトをシリコンゴムやフッ素ゴム等の非粘着性の材質で形成したり、また、ゴムベルトとして市販の輪ゴム等を使用する場合には、粘着テープの表面に長手方向に沿って粘着剤を塗布しない粘着剤非塗布部を設け、前記ゴムベルトを粘着剤非塗布部上に配置することで対処できる。
【０００９】
請求項３記載の発明による粘着テープ掃除具は、請求項２記載の発明の構成に加え、粘着テープ取付ローラと巻取りローラの間で且つ両ローラの回転軸よりも高い位置に、前記ゴムベルトを掛けるゴム掛けローラを有することを特徴とする。
【００１０】
請求項４記載の発明による粘着テープ掃除具は、請求項１〜３記載の発明の構成に加え、粘着テープ取付ローラと巻取りローラは、粘着テープが巻きつけられる芯の両端部にキャップを嵌め込んで構成してあり、キャップは中心部に軸部を突出して有し、軸部からさらにツマミを突出して有しており、ローラ支持部材は、一対の側板にキャップの軸部を回転自在に保持する軸保持部を有し、軸保持部又はその周辺部の弾性変形により軸部を軸保持部に係脱自在としていることを特徴とする。
【００１１】
請求項５記載の発明による粘着テープ掃除具は、請求項１〜４記載の発明の構成に加え、ローラ支持部材には、把手と係止してローラ支持部材の回動範囲を規制するストッパーを備えていることを特徴とする。
【００１２】
請求項６記載の発明による粘着テープ掃除具は、請求項１〜５記載の発明の構成に加え、ローラ支持部材には、粘着テープ取付ローラと巻取りローラの間に、粘着テープの非粘着面を受ける受け部を備えていることを特徴とする。
【００１３】
請求項７記載の発明による粘着テープ掃除具は、請求項１〜６記載の発明の構成に加え、ローラ支持部材の支え部をローラで構成したことを特徴とする。
【００１４】
請求項８記載の発明による粘着テープ掃除具は、請求項７記載の発明の構成に加え、支え部となるローラは、前後方向にスライド可能にローラ支持部材に取付けてあることを特徴とする。
【発明の効果】
【００１５】
請求項１記載の発明による粘着テープ掃除具は、把手を持って前後に往復移動させると、ローラ支持部材が支え部を支点としてシーソーのように揺動し、前方に動かしたときは前側のローラが、後方に動かしたときには後側のローラが掃除面に自然に接触し、他方のローラは掃除面から浮いて両ローラが回転し、掃除面に接触した方のローラが他方のローラから粘着テープを随時巻き取るので、使用済みの粘着テープを剥がすことなく一本の粘着テープロールを使い切るまで連続して使用できる。しかもローラが軽く安定して回転するので、軽快に掃除ができる。また上記のように、粘着テープの巻取り側のローラのみが掃除面に接触し、他方のローラは掃除面から浮くようになっていることで、ローラに特段ブレーキをかけなくても、粘着テープの巻き取りがひどく弛むことはない。掃除する場所を変えるときに掃除具を掃除面から持ち上げた際など、粘着テープと掃除面との粘着性によっては、粘着テープに多少弛みが生ずることもあるが、本発明の粘着テープ掃除具は、両ローラの側面に手動回転用のツマミを突出して備えているので、ツマミを持ってローラを回転させることにより、ローラに手を触れることなく、極めて簡単に粘着テープの弛みを取ることができる。
【００１６】
請求項２記載の発明による粘着テープ掃除具は、粘着テープ取付ローラと巻取りローラの外周に跨って無端状のゴムベルトを掛けたことで、各ローラに巻き取られた粘着テープがゴムベルトによって常に引き締められることとなり、これによって粘着テープの弛みを確実に防止できる。掃除具を掃除面から持ち上げたときでも、ゴムベルトにより粘着テープがカーペット等の掃除面に貼り付いて粘着テープが弛むことを防止できる。また、粘着テープの粘着力がある程度弱まった状態で、フローリング等の平滑な床面の上で前後に往復移動させたときには、ゴムベルトが床面と接触することで各ローラが滑らずに回転して粘着テープの巻取り・巻き戻しがなされ、これに伴って床面上のゴミを粘着テープに吸着できる。すなわち本粘着テープ掃除具によれば、カーペット等の掃除とフローリング等の平滑な床面の掃除の両方が行える。さらに、ゴムベルトが粘着テープとくっつかないようにしてあるので、ローラのスムーズな回転がゴムベルトによって阻害されたり、ゴムベルトが切れたりといった不都合を防止できる。
【００１７】
請求項３記載の発明による粘着テープ掃除具は、粘着テープ取付ローラと巻取りローラの間で且つ両ローラの回転軸よりも高い位置に、前記ゴムベルトを掛けるゴム掛けローラを有しているので、粘着テープ取付ローラと巻取りローラの外周のより長い距離にゴムベルトを巻きかけることができ、ゴムベルトによる粘着テープの弛みを防止する効果が向上する。また、ゴムベルトをゴム掛けローラに引っ掛けた状態で粘着テープ取付ローラと巻取りローラをローラ支持部材に着脱できるため、粘着テープロールの交換が容易になる。
【００１８】
請求項４記載の発明の構成によれば、各ローラをローラ支持部材に簡易に着脱でき、粘着テープロールの交換が容易に行える。
【００１９】
請求項５記載の発明による粘着テープ掃除具は、把手と係止してローラ支持部材の回動範囲を規制するストッパーをローラ支持部材に備えているので、ローラ支持部材が裏返しになるのを防ぎ、常に安定した状態で使用できる。
【００２０】
請求項６記載の発明による粘着テープ掃除具は、粘着テープ取付ローラと巻取りローラの間に、粘着テープの非粘着面を受ける受け部を備えているので、両ローラ間での粘着テープのたるみを防止し、且つ粘着テープが各ローラの互いの対向部にくっつくのを防止できる。
【００２１】
請求項７記載の発明による粘着テープ掃除具は、ローラ支持部材の支え部をローラで構成したので、支え部と掃除面との摩擦が抑えられ、掃除具の往復移動がより一層軽快になる。
【００２２】
さらに請求項８記載の発明のように、支え部となるローラが前後方向にスライド可能にローラ支持部材に取付けてあることで、掃除具を前方に動かしたときは支え部のローラが後側にスライドし、掃除具を後方に動かしたときには支え部のローラが前側にスライドするため、支え部のローラを支点とする揺動運動がよりスムーズになり、粘着テープが巻回された前後のローラが確実に掃除面に交互に接地する。また、前後のローラの接地圧力を高め、ゴミの吸着を良くする効果もある。
【発明を実施するための最良の形態】
【００２３】
以下、本発明の実施の形態を図面に基づいて説明する。図１は、本発明の粘着テープ掃除具の一実施形態を示す側面図であり、図２は、図１のＡ−Ａ線に沿って切断した縦断面図であり、図３は、図２のＢ−Ｂ線に沿って切断した縦断面図であり、図４は、同掃除具の底面図である。本粘着テープ掃除具は、前後方向に間隔をあけて平行に配置した粘着テープ取付ローラ２及び巻取りローラ４と、両ローラ２，４を回転自在に支持するローラ支持部材５と、ローラ支持部材５の前後のローラ２，４の間の位置に取付軸１７で回動可能に取付けた把手６とを備えている。
【００２４】
ローラ支持部材５は、図４に示すように、相対する左右の側板１１ａ，１１ｂと、左右の側板１１ａ，１１ｂを繋ぐ繋ぎ部１３とを有している。側板１１ａ，１１ｂは、図１に示すように、下部中央部分を略三角形に下方に突出させて支え部８を形成してあり、支え部８は、２つのローラ２，４の間に位置すると共に、支え部８の下端が各ローラ２，４の外周よりも下方に位置している。そのため２つのローラ２，４の外周が同時にカーペット等７の掃除面に接触しないようになっている。側板１１ａ，１１ｂは、図１と図２に示すように、前部と後部の２箇所に、各ローラ２，４の側面より突出する軸部１４を回転自在に嵌合保持する軸保持部１５ａ，１５ｂを設けてあり、前後の端縁より軸保持部１５ａ，１５ｂにわたって切り欠き２１を設けてある。切り欠き２１の開口幅は、後述するローラのツマミ２２の厚みよりも大きくしてある。さらに側板１１ａ，１１ｂは、図４に示すように、前後の端縁から軸保持部１５ａ，１５ｂにかけての内側面に斜めに面取り２３がしてある。両軸保持部１５ａ，１５ｂのちょうど中間の位置には、把手６下部のアーム１６の先端の取付軸１７を回転自在に取付けるアーム取付部１８が孔状に設けてある。さらに各側板１１ａ，１１ｂの外側面の２箇所に、把手６のアーム１６と係止するストッパー１０ａ，１０ｂを設けてある。ローラ支持部材５は、図１に示すように、側面から見て前後対称形となっている。
【００２５】
粘着テープ取付ローラ２は、図４，５に示すように、芯２４の周りに粘着テープ９を粘着面を外側にしてロール状に巻いた粘着テープロール１の両端部にキャップ２５，２５を嵌め込んで構成してあり、粘着テープロール１は、粘着テープ９が図１の反時計方向に巻かれた状態で取付けてある。粘着テープロール１の外形寸法、及び芯２４の内径寸法は、従来の１ロール式の掃除具用に市販されているものと同じにしてある。キャップ２５は、図５に示すように、裏面側に粘着テープロールの芯２４の内側に嵌合する挿入部２６が筒状に形成してあり、表面側の中心部に円形の軸部１４が突出して形成してあり、軸部１４からさらに突出して−字状のツマミ２２が形成してある。粘着テープ取付ローラ２をローラ支持部材５に取付ける際の手順を示すと、粘着テープロール１の両端部にキャップ２５を取付けた後、図７（ｂ）に示すように、キャップ２５のツマミ２２をローラ支持部材５の切り欠き２１に挿通するようにして、ローラ支持部材５の側板１１ａ，１１ｂ間に後方より押し込み、軸部１４を側板１１ａ，１１ｂの軸保持部１５ａに嵌め込んで取付ける。その際、図７（ａ）に示すように、面取り２３をした側板１１ａ，１１ｂの先端部がキャップ２５の軸部１４に乗り上げて側板１１ａ，１１ｂが外側に弾性変形し、側板１１ａ，１１ｂの間隔が自然に開くので、ローラ２の取付けが簡易に行える。
巻取りローラ４も同様に、図２に示すように巻取り芯３の両端部にキャップ２５，２５を嵌めてから、ローラ支持部材５の側板１１ａ，１１ｂ間に前方より押し込み、キャップの軸部１４を側板の軸保持部１５ａに嵌合して取付けている。
このように両ローラ２，４を取付けた後、本掃除具の使用を開始するにあたり、粘着テープ９の先端を粘着テープロール１の上側から引き出して巻取りローラの巻取り芯３にセロハンテープ等で止め、ツマミ２２を回して巻取りローラ４を反時計方向に回転させ、巻取り芯３の周りに粘着テープ９を粘着面を外側にして２周以上巻き取っておく。
【００２６】
さらに本掃除具は、上述のように粘着テープ９をセットした後、図３と図４に示すように、粘着テープ取付ローラ２と巻取りローラ４の外周に跨って、１本の細い無端状のゴムベルト２８を掛けている。ゴムベルト２８は、粘着テープ９の粘着面にくっつかないように、シリコンゴム製のものを使用している。またゴムベル２８トは、繋ぎ部１３の下部に設けた挿通部２７に挿通して、粘着テープ９の幅方向にずれるのを防いである。
【００２７】
図６は、本掃除具に好適な粘着テープ９の一実施形態を示している。この粘着テープ９は、使い初め及び終了部分の約２０ｃｍは粘着剤を塗布しておらず、これにより使用開始時の粘着テープ９のセットと、巻取り芯３に全部巻き取った使用済み粘着テープ９の始末が容易に行える。また、この粘着剤を塗布しない部分には赤色のインジケータを設け、巻き戻し過ぎや巻き込み過ぎにより粘着テープ９の端がローラ２，４から離れることがないように、使用者に注意を促すようにしている。さらに、使い初めの粘着剤を塗布してない部分に続く約３０ｃｍは粘着力を次第に強くし、終了側の粘着剤を塗布してない部分の手前約３０ｃｍは粘着力を次第に弱くしている。これにより、使い初めるときに粘着テープ９が掃除するカーペット等と馴染み、スムーズに使用を開始でき、終了時は粘着テープ９の始末が容易である。
【００２８】
ローラ支持部材５の繋ぎ部１３の上面は、図３に示すように、前後のローラ２，４間に渡した粘着テープ９の非粘着面を受ける受け部１２となっており、これにより前後のローラ２，４間での粘着テープ９のたるみを防止し、粘着テープ９が各ローラ２，４の互いの対向部にくっつかないで繰り出されるようにガイドしている。
【００２９】
把手６は、金属製の細い丸棒を折り曲げて形成してあり、下部を両側に広げてアーム１６を形成し、左右のアーム１６の先端の取付軸１７を両側に広げて側板１１ａ，１１ｂに設けたアーム取付部１８に外側から差し込み、回動自在に取付けてある。
【００３０】
本粘着テープ掃除具は、従来の１ローラ式のものと同じように、把手６を手で持ってカーペット等７の上で前後に動かして使用する。把手６を持って前方に押すと、図８（ａ）に示すように、ローラ支持部材５は支え部８が支点となって前側に傾き、巻取りローラ４がカーペット等７に接触し、粘着テープ取付ローラ２はカーペット等７から浮く。さらに前方に押すと、巻取りローラ４はカーペット等のゴミを吸着しながら反時計回りに回転し、粘着テープ９を引っ張りながら巻き取る。反対に手前に引くと、図８（ｂ）に示すように、ローラ支持部材５は支え部８が支点となって後側に傾き、粘着テープ取付ローラ２がカーペット等７に接触し、巻取りローラ４がカーペット等７から浮く状態となり、粘着テープ取付ローラ２がゴミを吸着しながら時計回りに回転して粘着テープ９を巻き取る。
【００３１】
２つのローラ２，４がカーペット等７に同時に接触した状態で前後に動かすと、２つのローラ２，４に巻き取られた粘着テープ９の粘着力の違いで、各ローラ２，４の粘着テープ９同士の間や、粘着テープ９とカーペット等７の間のすべりに差異が生ずること等から、それぞれのローラ２，４の粘着テープ９の巻取りが弛み、使用に不都合が生ずることがあるが、上記のように前側に動かすときは前側のローラ４のみが、後側に動かすときは後側のローラ２のみがカーペット等７に接触し、接触したローラ側に粘着テープ９を巻き取ることで、各ローラ２，４に粘着テープ９を弛まずに巻き取ることができる。
また本掃除具は、各ローラ２，４の回転に対して特段ブレーキを掛けないため、各ローラ２，４が軽く回転し、したがって軽快に前後に往復移動させて能率よくカーペット等７の掃除が行える。各ローラ２，４の回転に対して特段ブレーキを掛けなくても、粘着テープ９が掃除面から浮いた方のローラから随時剥がされることで粘着テープ９にある程度張力が生ずるから、各ローラ２，４への粘着テープ９の巻取りがひどく弛むことはない。粘着テープ９に弛みが生じたときには、ツマミ２２を回して一方のローラ２，４を回転させることにより、弛みを簡単に取ることができる。
【００３２】
さらに本粘着テープ掃除具は、粘着テープ取付ローラ２と巻取りローラ４の外周に跨って無端状のゴムベルト２８を掛けたことで、各ローラ２，４に巻き取られた粘着テープ９がゴムベルト２８によって常に引き締められることとなり、これによって粘着テープ９の弛みを確実に防止でき、また、掃除する場所を変えるために掃除具をカーペット等７から持ち上げたときでも、粘着テープ９がカーペット等７に貼り付いて引っ張られて粘着テープ９が弛むことがない。また、カーペット等７を掃除して粘着テープ９の粘着力がある程度弱まった状態で、フローリング等の平滑な床面の上で前後に往復移動させたときには、ゴムベルト２８が床面と接触することで各ローラ２，４が滑らずに回転して粘着テープ９の巻取り・巻き戻しがなされ、これに伴って床面上のゴミを粘着テープ９に吸着できる。すなわち本粘着テープ掃除具によれば、カーペット７等の掃除とフローリング等の平滑な床面の掃除の両方が行える。
【００３３】
本掃除具は、ゴムベルト２８をローラ２，４間に掛けない状態で使用することも可能である（特にカーペットの掃除を行う場合）。その場合、使い方によっては粘着テープ９が多少弛むことはあるが、そのときはツマミ２２を回してローラ２，４を回転させることで、簡単に弛みを取ることができる。
【００３４】
ローラ支持部材５は、把手６に対してアーム１６先端の取付軸１７で回動自在に軸支してあるので、粘着テープ９の粘着力が強いときや、前後のローラ２，４で粘着テープ９の巻き量の差が大きいときなどには、前後何れかのローラ２，４の粘着テープ９とカーペット等７との接触部が支点となって、ローラ支持部材５そのものが回動することがあり、ローラ支持部材５が１８０度回動して裏返しになってしまうと、使用を継続できない。本粘着テープ掃除具は、そのようにローラ支持部材５が回動した場合でも、前方に押したときには、図９（ａ）に示すように、側板１１ａ，１１ｂに設けた後側のストッパー１０ａがアーム１６と係止することで、ローラ支持部材５がそれ以上前側に回動するのを防ぎ、後方に引いたときには、図９（ｂ）に示すように、側板１１ａ，１１ｂに設けた前側のストッパー１０ｂがアーム１６と係止することで、ローラ支持部材５がそれ以上後側に回動するのを防いでいる。これにより、ローラ支持部材５が裏返しになることがなく、常に安定した状態で使用できる。
【００３５】
本粘着テープ掃除具をカーペット等７の上で数回前後に転がすことによって、転がしたストローク分の長さの粘着テープ９がカーペット等７のゴミを吸着する。前後に動かしているうちにその長さ分の粘着テープ９の粘着力が落ちてきたら、さらに前方に押して使用済みの粘着テープ９を巻取りローラ４に巻取り、新しい粘着面を露出させ、同様に粘着力が落ちるまで前後に転がしてゴミを吸着する。このような作業を何回も繰り返して行い、全ての粘着テープ９が巻取りローラ４に巻き取られたら、巻き取った粘着テープ９を巻取り芯３ごと新しい粘着テープロール１と交換し、繰り返し使用する。
粘着テープロール１を交換する際の手順を示すと、まず把手６とゴムベルト２８とを取外した後、側板１１ａ，１１ｂの間隔を広げて巻取りローラ４をローラ支持部材５から取り外し、キャップ２５，２５を外して巻取り芯３ごと巻き取った粘着テープ９を破棄する。次に、新しい粘着テープロール１にキャップ２５，２５を嵌め、側板１１ａ，１１ｂの軸保持部１５ａ，１５ｂに装着する。粘着テープ取付ローラ２は芯２４だけが残っているから、先に述べた要領で粘着テープロール１から芯２４に粘着テープ９をセットし、ゴムベルト２８をローラ２，４間に掛け、把手６をそれまでとは前後逆向きに取付ける。すなわち、粘着テープ取付ローラ２と巻取りローラ４が前後入れ替わる。
【００３６】
図１０は、ローラ２，４の端部に嵌めるキャップ２５の他の実施形態を示している。このキャップ２５は、ツマミ２２をキャップ本体２５ａと別体に形成してあり、ツマミ２２をローラ２，４の軸線方向にスライド可能としている。ローラ２，４を回転させるときには、図１０（ｂ）に実線で示すように、ツマミ２２を引き出すことで操作がしやすく、掃除中は図１０（ｂ）に仮想線で示すように、キャップ２５内に引っ込めておくことで、壁際を掃除するときでもツマミ２２が邪魔にならない。
【００３７】
図１１は、ローラ支持部材５の支え部８の他の実施形態を示している。支え部８は、弾力性を有する材質で側板１１ｂとは別体で形成し、側板１１ｂに着脱可能に取付けてある。支え部８の掃除面との接触面には、軟質塩化ビニルのシート２９を貼り付けてある。このように形成すると、支え部８にクッション性を持たせられ、フローリング等の硬く平滑な床面を掃除する場合にでも、前後移動に伴ってローラ支持部材５が支え部８を支点として確実に揺動する。また前記シート２９が磨り減ったときには、支え部８を交換できる。
【００３８】
図１２は、ローラ支持部材５のローラ２，４の取付部分の他の実施形態を示している。ローラ支持部材５は、合成樹脂により一体成形されており、側板１１ａ，１１ｂは、切り欠き２１を設ける代わりに、軸保持部１５ａ，１５ｂよりも内側の位置に弾力的に折れ曲がるヒンジ部３０，３０が上下方向にそれぞれ設けてあり、図１２（ａ）に二点鎖線で示すように、側板１１ａ，１１ｂがヒンジ部３０で弾力的に折れ曲がることで、各ローラ２，４の着脱がより一層容易に行えるようにしている。側板１１ａ，１１ｂは、前後の端部がハの字形に開く形で曲がっており、これによりローラ２，４を側板１１ａ，１１ｂ間に容易に挿入できる。またキャップ２５のツマミ２２は、中央部分が最も突出した円弧状に形成してあり、これによりツマミ２２が側板１１ａ，１１ｂの端縁や軸保持部１５ａ，１５ｂに引っ掛かるのを防ぎ、軸部１４の軸保持部１５ａ，１５ｂへの係脱が容易に行える。
【００３９】
図１３、図１４は、洋服や、ベッド回り、ソファ、車のシート等の掃除に適した、小型の粘着テープ掃除具の実施形態を示している。基本的な構成は、以上に述べたカーペット、床掃除用のものと同様であり、粘着テープロール１は小径で幅の小さいものとなっており、把手６は短くなっている。支え部８は、側板１１ａ，１１ｂ間に回転自在に軸支したローラ８で構成してあり、ローラ８の中間部にはゴムベルト２８を保持する凹み部３４を設けてある。このように支え部８をローラ８で構成することにより、支え部８と掃除面との摩擦が無くなるから、掃除具の前後移動がより一層軽く行える。側板１１ａ，１１ｂの軸保持部１５ａ，１５ｂは、弾性変形可能な材質でＣ字形の軸嵌合部３５とハの字型に広がった軸導入部３６とを一体に形成したものとなっており、これによりローラ２，４の着脱がより簡易に行えるようになっている。
【００４０】
図１５、図１６は、小型の粘着テープ掃除具の改良した実施形態を示している。支え部のローラ８の軸３９は、側板１１ａ，１１ｂの下部に形成した前後方向の長孔４０に挿入してあり、そのためローラ８は前後方向にスライド可能となっている。ローラ８は、外周にゴム製のスリーブ４１を嵌めてある。繋ぎ部１３の上面側には、図１６に示すように、ゴムベルト２８の挿通部４２が設けてあり、その下方にゴムベルト２８を掛けるゴム掛けローラ３８を回転自在に設けてある。ゴムベルト２８は、左右方向に間隔をあけて２本掛けられている。把手６は、プラスチックで形成してある。
【００４１】
図１７は、本粘着テープ掃除具の使用状態を示しており、把手６を持って前方に動かしたときには、図１７（ａ）に示すように、支え部のローラ８が後側に移動してローラ支持部材５が前側に傾き、巻取りローラ４がカーペット等７に接地して反時計回りに回転し、ゴミを吸着しながら粘着テープ９を巻き取る。後方に動かしたときには、図１７（ｂ）に示すように、支え部のローラ８が前側に移動してローラ支持部材５が後側に傾き、粘着テープ取付ローラ２がカーペット等７に接地して時計回りに回転し、ゴミを吸着しながら粘着テープ９を巻き取る。このように、支え部のローラ８を前後方向にスライド可能としたことで、ローラ支持部材５の揺動運動がよりスムーズになり、確実に前後のローラ２，４をカーペット等７に交互に接地できる。また、前後のローラ２，４のカーペット等７に対する接地圧力を高め、ゴミの吸着を良くする効果もある。こうした効果は、粘着テープロール１を交換した直後や交換する直前で、前後のローラ２，４で粘着テープ９の巻き量の差が大きいときに顕著に表れる。
【００４２】
また、前後のローラ２，４の回転軸よりも高い位置に設けたゴム掛けローラ３８にゴムベルト２８を掛けることで、前後のローラ２，４の外周へのゴムベルト２８の巻きかけ長さが長くなるため、粘着テープ９の弛みを防止する効果が高められる。また、粘着テープロール１を交換する際には、図１８（ａ）に示すように、ゴムベルト２８の上部をつまんで横に外し、図１８（ｂ）に示すように、ゴムベルト２８をゴム掛けローラ３８に引っ掛けて垂らした状態で前後のローラ２，４を着脱できるので、粘着テープロール１の交換が容易になる。
【００４３】
本発明は、以上に述べた実施形態に限定されない。ローラ支持部材５、把手６等の形状、ローラ２，４の取付構造等は、適宜変更して実施でき、例えばローラ２，４を片方の側板１１ａに対して片持ち支持することもできる。カーペット・床掃除用のものにおいても、支え部８をローラで構成することができる。前後のローラ２，４間に掛けるゴムベルト２８は、市販の輪ゴム等を使用することもでき、その場合は、図１９に示すように、粘着テープ９の表面に長手方向に沿って粘着剤を塗布しない粘着剤非塗布部３７を設け、ゴムベルト２８を粘着剤非塗布部３７上に配置する。粘着テープロール１は、１ローラ式の粘着テープ掃除具用に市販されているものをそのまま利用することもできる。
【図面の簡単な説明】
【００４４】
【図１】本発明の粘着テープ掃除具の一実施形態を示す側面図である。
【図２】同粘着テープ掃除具の図１のＡ−Ａ縦断面図である。
【図３】同粘着テープ掃除具の図２のＢ−Ｂ縦断面図である。
【図４】同粘着テープ掃除具の底面図である。
【図５】ローラの端部に嵌めるキャップの斜視図である。
【図６】本発明の粘着テープ掃除具に好適な粘着テープの平面図である。
【図７】（ａ）ローラ支持部材に対する粘着テープ取付ローラの装着例を示す平面図であり、（ｂ）はその側面図である。
【図８】同粘着テープ掃除具の使用状態を示す縦断面図であって、（ａ）は前方走行時の状態、（ｂ）は後方走行時の状態を示している。
【図９】ストッパーの作用を示す側面図であって、（ａ）は前方走行時にストッパーが働いたときの状態、（ｂ）は後方走行時にストッパーが働いた状態を示している。
【図１０】（ａ）はキャップの他の実施形態を示す正面図であり、（ｂ）は同縦断面図である。
【図１１】側板及び支え部の他の実施形態を示す正面図である。
【図１２】（ａ）はローラ支持部材の他の実施形態を示す平面図であり、（ｂ）は同側面図である。
【図１３】本発明の粘着テープ掃除具の第二実施形態を示す側面図である。
【図１４】同粘着テープ掃除具の底面図である。
【図１５】小型の粘着テープ掃除具の改良した実施形態を示す側面図である。
【図１６】図１５のＡ−Ａ断面図である。
【図１７】同粘着テープ掃除具の使用状態を示す縦断面図であって、（ａ）は前方走行時の状態、（ｂ）は後方走行時の状態を示している。
【図１８】（ａ）は、同粘着テープ掃除具において粘着テープロールを交換する際にゴムベルトを外すときの様子を示す斜視図であり、（ｂ）は、その後に前後のローラを外すときの様子を示す斜視図である。
【図１９】粘着テープの他の実施形態を示す平面図である。
【図２０】（ａ）（ｂ）従来の２ローラ式の掃除具の使用中に生ずるトラブルの状態を示す側面図である。
【符号の説明】
【００４５】
１  粘着テープロール
２  粘着テープ取付ローラ（後側のローラ）
３  巻取り芯
４  巻取りローラ（前側のローラ）
５  ローラ支持部材
６  把手
７  カーペット等（掃除面）
８  支え部
９  粘着テープ
１０ａ，１０ｂ  ストッパー
１１ａ，１１ｂ  側板
１２  受け部
１３  繋ぎ部
１４  軸部
１５ａ，１５ｂ  軸保持部
１６  アーム
１７  取付軸
１８  アーム取付部
２１  切り欠き
２２  ツマミ
２３  面取り
２４  芯
２５  キャップ、２５ａ  キャップ本体
２６  挿入部
２７  挿通部
２８  ゴムベルト
２９  シート
３０  ヒンジ部
３４  凹み部
３５  軸嵌合部
３６  軸導入部
３７  粘着剤非塗布部
３８  ゴム掛けローラ
３９  支え部のローラの軸
４０  長孔
４２  ゴムベルト挿通部
【図１】
2008168107.tif 000003
【図２】
2008168107.tif 000004
【図３】
2008168107.tif 000005
【図４】
2008168107.tif 000006
【図５】
2008168107.tif 000007
【図７】
2008168107.tif 000008
【図８】
2008168107.tif 000009
【図９】
2008168107.tif 000010
【図１０】
2008168107.tif 000011
【図１１】
2008168107.tif 000012
【図１２】
2008168107.tif 000013
【図１３】
2008168107.tif 000014
【図１４】
2008168107.tif 000015
【図１５】
2008168107.tif 000016
【図１６】
2008168107.tif 000017
【図１７】
2008168107.tif 000018
【図１８】
2008168107.tif 000019
【図１９】
2008168107.tif 000020
【図２０】
2008168107.tif 000021
【図６】
2008168107.tif 000022